(57)【要約】【課題】クリップ付き筆記具を展示するとき、クリップが常に正面を向いて消費者に訴求し、消費者がクリップを直接目視し、触れることができるクリップ付き筆記具吊下具を提供する。【解決手段】前面フィルム、ヘッダーシート、台シート及び背面フィルムからなる袋状のクリップ付き筆記具吊下具であって、下部背面フィルム、前面フィルム、上部背面フィルム及び舌片フィルムが連続する１枚のフィルムで形成され、ヘッダーシートの下部において、前面フィルムとヘッダーシートが融着され、ヘッダーシートの中間において、背面フィルムとヘッダーシートが融着され、袋の背面に開口部を有し、前面フィルムと台シートの間が収納部となり、ヘッダーシートの中間の融着線と下部の融着線の間にクリップ挿通孔が設けられ、ヘッダーシートの上縁と中間の融着線の間に吊下孔が設けられ、舌片フィルムに対向する背面フィルムに粘着剤層を有するクリップ付き筆記具吊下具。【選択図】図１
2006027615.tif 000002
【特許請求の範囲】
【請求項１】
前面フィルム、ヘッダーシート、台シート及び背面フィルムからなり、両側縁において溶断されてなる袋状のクリップ付き筆記具吊下具であって、台シートの上縁から袋体の下縁にいたる下部背面フィルム、袋体の下縁からヘッダーシートの上縁にいたる前面フィルム、ヘッダーシートの上縁からヘッダーシートの中間にいたる上部背面フィルム及び上部背面フィルムから延設される舌片フィルムが連続する１枚のフィルムで形成され、ヘッダーシートの下部において、前面フィルムとヘッダーシートが袋の幅方向の融着線により融着され、ヘッダーシートの中間において、背面フィルムとヘッダーシートが袋の幅方向の融着線により融着され、袋の背面の台シートの上縁に筆記具挿入用の開口部を有し、前面フィルムと台シートの間が筆記具収納部となり、ヘッダーシートの中間の融着線と下部の融着線の間に前面フィルムとヘッダーシートを貫通するクリップ挿通孔が設けられ、ヘッダーシートの上縁と中間の融着線の間に前面フィルムとヘッダーシートと背面フィルムを貫通する吊下孔が設けられ、舌片フィルムの下部に対向する背面フィルムに離型フィルムに覆われた袋の幅方向の粘着剤層を有することを特徴とするクリップ付き筆記具吊下具。
【請求項２】
前面フィルム、ヘッダーシート及び背面フィルムからなり、両側縁において溶断されてなる袋状のクリップ付き筆記具吊下具であって、筆記具挿入用の開口部から袋体の下縁にいたる下部背面フィルム、袋体の下縁からヘッダーシートの上縁にいたる前面フィルム、ヘッダーシートの上縁からヘッダーシートの中間にいたる上部背面フィルム及び上部背面フィルムから延設される舌片フィルムが連続する１枚のフィルムで形成され、ヘッダーシートの下部において、前面フィルムとヘッダーシートが袋の幅方向の融着線により融着され、ヘッダーシートの中間において、背面フィルムとヘッダーシートが袋の幅方向の融着線により融着され、下部背面フィルムの上縁に筆記具挿入用の開口部を有し、前面フィルムと下部背面フィルムの間が筆記具収納部となり、ヘッダーシートの中間の融着線と下部の融着線の間に前面フィルムとヘッダーシートを貫通するクリップ挿通孔が設けられ、ヘッダーシートの上縁と中間の融着線の間に前面フィルムとヘッダーシートと背面フィルムを貫通する吊下孔が設けられ、舌片フィルムの下部に対向する背面フィルムに離型フィルムに覆われた袋の幅方向の粘着剤層を有することを特徴とするクリップ付き筆記具吊下具。
【請求項３】
ヘッダー部と台シート部が連続する１枚のシートからなるクリップ付き筆記具吊下具であって、ヘッダー部の上部に吊下孔が設けられ、吊下孔の下方にクリップ挿通孔が設けられてなることを特徴とするクリップ付き筆記具吊下具。
【請求項４】
シートの両面がフィルムにより覆われ、吊下孔及びクリップ挿通孔がシートとフィルムを貫通して設けられ、両側縁においてシートとフィルムが溶断されてなる請求項３記載のクリップ付き筆記具吊下具。
【請求項５】
ヘッダー部からなるクリップ付き筆記具吊下具であって、ヘッダー部の上部に吊下孔が設けられ、吊下孔の下方にクリップ挿通孔が設けられてなることを特徴とするクリップ付き筆記具吊下具。
【請求項６】
シートの両面がフィルムにより覆われ、吊下孔及びクリップ挿通孔がシートとフィルムを貫通して設けられ、両側縁においてシートとフィルムが溶断されてなる請求項５記載のクリップ付き筆記具吊下具。
【発明の詳細な説明】
【技術分野】
【０００１】
本発明は、クリップ付き筆記具吊下具に関する。さらに詳しくは、本発明は、クリップ付き筆記具を店頭に展示するとき、クリップが常に正面を向いて消費者に訴求し、消費者がクリップを直接目視し、クリップに直接触れることができるクリップ付き筆記具吊下具に関する。
【背景技術】
【０００２】
万年筆、ボールペン、シャープペンシルなどの筆記具には、クリップ付きのキャップを備えたものや、筆記具本体にクリップが取り付けられたものが多い。クリップは、筆記具のデザインのポイントをなすものであり、筆記具を店頭に展示したとき、できるだけ目立つ状態にあることが望ましい。筆記具は細長い形状であるので、店頭では吊下展示される場合が多い。筆記具を吊下袋に入れると、袋の中でクリップはランダムな方向を向き、クリップを目立たせることができない。
吊下展示において、筆記具のクリップを常に正面に向ける方法として、クリップ付き筆記具をブリスターパッケージに包装することが行われている。真空成形したプラスチックシートの正面にクリップが入る窪みを作り、その窪みにクリップを収めた状態で展示する。しかし、ブリスターパッケージは、真空成形したプラスチックシートと台紙を必要とするのでコスト高となり、店頭において占有するスペースも大きい。また、ブリスターパッケージは収納する筆記具の形状が少し変わっただけでも、対応する形状に成形されたプラスチックシートが必要となる。さらに、曲面状に成形したプラスチックシートを通してクリップを見るので、クリップやその上に描かれた文字、模様などが歪んで見え、美観の点でも必ずしも満足し得る状態ではない。
このために、高いコストをかけることなく、クリップ付き筆記具を店頭で効果的に吊下展示することができる手段が求められていた。
【発明の開示】
【発明が解決しようとする課題】
【０００３】
本発明は、クリップ付き筆記具を店頭に展示するとき、クリップが常に正面を向いて消費者に訴求し、消費者がクリップを直接目視し、クリップに直接触れることができるクリップ付き筆記具吊下具を提供することを目的としてなされたものである。
【課題を解決するための手段】
【０００４】
本発明者らは、上記の課題を解決すべく鋭意研究を重ねた結果、ヘッダーシートの吊下孔の下方にクリップ挿通孔を設け、該挿通孔に筆記具のクリップを挿通して固定し、該吊下孔を利用して吊下展示することにより、筆記具のクリップを露出した状態で常に正面を向け、消費者に強く訴える状態を保ち得ることを見いだし、この知見に基づいて本発明を完成するに至った。
すなわち、本発明は、
（１）前面フィルム、ヘッダーシート、台シート及び背面フィルムからなり、両側縁において溶断されてなる袋状のクリップ付き筆記具吊下具であって、台シートの上縁から袋体の下縁にいたる下部背面フィルム、袋体の下縁からヘッダーシートの上縁にいたる前面フィルム、ヘッダーシートの上縁からヘッダーシートの中間にいたる上部背面フィルム及び上部背面フィルムから延設される舌片フィルムが連続する１枚のフィルムで形成され、ヘッダーシートの下部において、前面フィルムとヘッダーシートが袋の幅方向の融着線により融着され、ヘッダーシートの中間において、背面フィルムとヘッダーシートが袋の幅方向の融着線により融着され、袋の背面の台シートの上縁に筆記具挿入用の開口部を有し、前面フィルムと台シートの間が筆記具収納部となり、ヘッダーシートの中間の融着線と下部の融着線の間に前面フィルムとヘッダーシートを貫通するクリップ挿通孔が設けられ、ヘッダーシートの上縁と中間の融着線の間に前面フィルムとヘッダーシートと背面フィルムを貫通する吊下孔が設けられ、舌片フィルムの下部に対向する背面フィルムに離型フィルムに覆われた袋の幅方向の粘着剤層を有することを特徴とするクリップ付き筆記具吊下具、
（２）前面フィルム、ヘッダーシート及び背面フィルムからなり、両側縁において溶断されてなる袋状のクリップ付き筆記具吊下具であって、筆記具挿入用の開口部から袋体の下縁にいたる下部背面フィルム、袋体の下縁からヘッダーシートの上縁にいたる前面フィルム、ヘッダーシートの上縁からヘッダーシートの中間にいたる上部背面フィルム及び上部背面フィルムから延設される舌片フィルムが連続する１枚のフィルムで形成され、ヘッダーシートの下部において、前面フィルムとヘッダーシートが袋の幅方向の融着線により融着され、ヘッダーシートの中間において、背面フィルムとヘッダーシートが袋の幅方向の融着線により融着され、下部背面フィルムの上縁に筆記具挿入用の開口部を有し、前面フィルムと下部背面フィルムの間が筆記具収納部となり、ヘッダーシートの中間の融着線と下部の融着線の間に前面フィルムとヘッダーシートを貫通するクリップ挿通孔が設けられ、ヘッダーシートの上縁と中間の融着線の間に前面フィルムとヘッダーシートと背面フィルムを貫通する吊下孔が設けられ、舌片フィルムの下部に対向する背面フィルムに離型フィルムに覆われた袋の幅方向の粘着剤層を有することを特徴とするクリップ付き筆記具吊下具、
（３）ヘッダー部と台シート部が連続する１枚のシートからなるクリップ付き筆記具吊下具であって、ヘッダー部の上部に吊下孔が設けられ、吊下孔の下方にクリップ挿通孔が設けられてなることを特徴とするクリップ付き筆記具吊下具、
（４）シートの両面がフィルムにより覆われ、吊下孔及びクリップ挿通孔がシートとフィルムを貫通して設けられ、両側縁においてシートとフィルムが溶断されてなる(３)記載のクリップ付き筆記具吊下具、
（５）ヘッダー部からなるクリップ付き筆記具吊下具であって、ヘッダー部の上部に吊下孔が設けられ、吊下孔の下方にクリップ挿通孔が設けられてなることを特徴とするクリップ付き筆記具吊下具、及び、
（６）シートの両面がフィルムにより覆われ、吊下孔及びクリップ挿通孔がシートとフィルムを貫通して設けられ、両側縁においてシートとフィルムが溶断されてなる(５)記載のクリップ付き筆記具吊下具、
を提供するものである。
【発明の効果】
【０００５】
本発明のクリップ付き筆記具吊下具を用いると、筆記具のクリップは露出した状態で常に正面を向くので、消費者に強く訴求し、消費者はクリップを直接目視し、クリップに直接触れることができる。本発明のクリップ付き筆記具吊下具は、プラスチックフィルムとプラスチックシートのみから形成されるので、経済的に製造することができ、店頭において大きいスペースを占めることなく展示することができる。さらに、本発明のクリップ付き筆記具吊下具は、形状の異なる多種類のクリップ付き筆記具に対して、共通に使用することができる。
【発明を実施するための最良の形態】
【０００６】
本発明のクリップ付き筆記具吊下具の第一の態様は、前面フィルム、ヘッダーシート、台シート及び背面フィルムからなり、両側縁において溶断されてなる袋状のクリップ付き筆記具吊下具であって、台シートの上縁から袋体の下縁にいたる下部背面フィルム、袋体の下縁からヘッダーシートの上縁にいたる前面フィルム、ヘッダーシートの上縁からヘッダーシートの中間にいたる上部背面フィルム及び上部背面フィルムから延設される舌片フィルムが連続する１枚のフィルムで形成され、ヘッダーシートの下部において、前面フィルムとヘッダーシートが袋の幅方向の融着線により融着され、ヘッダーシートの中間において、背面フィルムとヘッダーシートが袋の幅方向の融着線により融着され、袋の背面の台シートの上縁に筆記具挿入用の開口部を有し、前面フィルムと台シートの間が筆記具収納部となり、ヘッダーシートの中間の融着線と下部の融着線の間に前面フィルムとヘッダーシートを貫通するクリップ挿通孔が設けられ、ヘッダーシートの上縁と中間の融着線の間に前面フィルムとヘッダーシートと背面フィルムを貫通する吊下孔が設けられ、舌片フィルムの下部に対向する背面フィルムに離型フィルムに覆われた袋の幅方向の粘着剤層を有するクリップ付き筆記具吊下具である。
図１は、本発明のクリップ付き筆記具吊下具の一態様の前面図、背面図及びＡ−Ａ線切断部端面図である。本態様のクリップ付き筆記具吊下具は、前面フィルム１、ヘッダーシート２、台シート３及び背面フィルム４、５からなり、両側縁６、７において溶断されてなる袋状の吊下具である。台シートの上縁８から袋体の下縁９にいたる下部背面フィルム４、袋体の下縁からヘッダーシートの上縁１０にいたる前面フィルム１、ヘッダーシートの上縁からヘッダーシートの中間にいたる上部背面フィルム５及び上部背面フィルムから延設される舌片フィルム１１は、連続する１枚のフィルムで形成されている。ヘッダーシートの下部において、前面フィルムとヘッダーシートが袋の幅方向の融着線１２により融着され、ヘッダーシートの中間において、背面フィルムとヘッダーシートが袋の幅方向の融着線１３により融着されている。袋の背面の台シートの上縁に筆記具挿入用の開口部１４を有し、前面フィルムと台シートの間が筆記具収納部１５となる。ヘッダーシートの中間の融着線１３と下部の融着線１２の間に、前面フィルムとヘッダーシートを貫通するクリップ挿通孔１６が設けられ、ヘッダーシートの上縁１０と中間の融着線１３の間に、前面フィルムとヘッダーシートと背面フィルムを貫通する吊下孔１７が設けられている。舌片フィルムの下部に対向する背面フィルムに、離型フィルム１８に覆われた袋の幅方向の粘着剤層１９を有する。
【０００７】
図２は、図１に示す態様のクリップ付き筆記具吊下具に筆記具を収納した状態を示す前面図及びＢ−Ｂ線切断部端面図である。舌片フィルム１１を持ち上げて開口部１４を開き、クリップ付き筆記具２０を筆記具収納部１５に収納すると同時にクリップ２１をクリップ挿通孔１６に挿通して、ヘッダーシート２の下部と前面フィルム１に固定する。次いで、離型フィルム１８を剥がして粘着剤層１９を露出させ、舌片フィルムを粘着剤層により背面フィルムに固着させる。この状態で吊下孔１７を利用して吊下具を吊下軸に吊り下げると、クリップ２１は露出された状態で常に正面を向くので、消費者は店頭でクリップを直接目視し、クリップに直接触れることができる。筆記具は、クリップで袋状のクリップ付き筆記具吊下具に固定されているので、がたつくこともない。また、前面フィルムに無色透明のフィルムを用いると、吊下展示された状態で筆記具の軸筒を目視することができるので、軸筒のデザイン、模様、文字などによっても消費者に訴求することができる。ヘッダーシートと台シートには、商品名、商品説明などを印刷することができる。本態様のクリップ付き筆記具吊下具は、筆記具収納部１５にクリップ付き筆記具２０を収納したのち、舌片フィルム１１により開口部１４を封鎖し、筆記具のクリップ以外の部分は収納部に収められるので、キャップ、軸筒などの筆記具の主要な部分が塵埃により汚染されるおそれがない。
図３は、本発明のクリップ付き筆記具吊下具の他の態様の前面図、背面図及びＣ−Ｃ線切断部端面図である。本態様のクリップ付き筆記具吊下具は、粘着剤層１９を覆う離型フィルム２２が舌片フィルム１１の全面に存在する以外は、図１に示す態様のクリップ付き筆記具吊下具と同じである。図１に示す態様のクリップ付き筆記具吊下具では、離型フィルム１８は、粘着剤層１９を被覆し、かつ離型フィルムを引き剥がすときにつまむ部分を残すために必要にして十分な大きさである。したがって、図１に示す態様のクリップ付き筆記具吊下具の製造に際しては、両側縁を溶断するときに、舌片フィルムが融着しないように、原反フィルムの舌片フィルムに相当する部分に融着防止ワニスを塗布しておく必要がある。図３に示す態様のクリップ付き筆記具吊下具は、粘着剤層１９を覆う離型フィルム２２が舌片フィルム１１の全面に存在するので、舌片フィルムの部分に融着防止ワニスを塗布する必要がない。
本発明のクリップ付き筆記具吊下具の第二の態様は、前面フィルム、ヘッダーシート及び背面フィルムからなり、両側縁において溶断されてなる袋状のクリップ付き筆記具吊下具であって、筆記具挿入用の開口部から袋体の下縁にいたる下部背面フィルム、袋体の下縁からヘッダーシートの上縁にいたる前面フィルム、ヘッダーシートの上縁からヘッダーシートの中間にいたる上部背面フィルム及び上部背面フィルムから延設される舌片フィルムが連続する１枚のフィルムで形成され、ヘッダーシートの下部において、前面フィルムとヘッダーシートが袋の幅方向の融着線により融着され、ヘッダーシートの中間において、背面フィルムとヘッダーシートが袋の幅方向の融着線により融着され、下部背面フィルムの上縁に筆記具挿入用の開口部を有し、前面フィルムと下部背面フィルムの間が筆記具収納部となり、ヘッダーシートの中間の融着線と下部の融着線の間に前面フィルムとヘッダーシートを貫通するクリップ挿通孔が設けられ、ヘッダーシートの上縁と中間の融着線の間に前面フィルムとヘッダーシートと背面フィルムを貫通する吊下孔が設けられ、舌片フィルムの下部に対向する背面フィルムに離型フィルムに覆われた袋の幅方向の粘着剤層を有するクリップ付き筆記具吊下具である。
【０００８】
図４は、本発明のクリップ付き筆記具吊下具の他の態様の前面図、背面図及びＤ−Ｄ線切断部端面図である。本態様のクリップ付き筆記具吊下具は、前面フィルム１、ヘッダーシート２及び背面フィルム４、５からなり、両側縁６、７において溶断されてなる袋状の吊下具である。筆記具挿入用の開口部１４から袋体の下縁９にいたる下部背面フィルム４、袋体の下縁からヘッダーシートの上縁１０にいたる前面フィルム１、ヘッダーシートの上縁からヘッダーシートの中間にいたる上部背面フィルム５及び上部背面フィルムから延設される舌片フィルム１１は、連続する１枚のフィルムで形成されている。ヘッダーシートの下部において、前面フィルムとヘッダーシートが袋の幅方向の融着線１２により融着され、ヘッダーシートの中間において、背面フィルムとヘッダーシートが袋の幅方向の融着線１３により融着されている。袋の背面の下部背面フィルムの上縁に筆記具挿入用の開口部１４を有し、前面フィルムと下部背面フィルムの間が筆記具収納部１５となる。ヘッダーシートの中間の融着線１３と下部の融着線１２の間に、前面フィルムとヘッダーシートを貫通するクリップ挿通孔１６が設けられ、ヘッダーシートの上縁１０とヘッダーシートの中間の融着線１３の間に、前面フィルムとヘッダーシートと背面フィルムを貫通する吊下孔１７が設けられている。舌片フィルムの下部に対向する背面フィルムに、離型フィルム１８に覆われた袋の幅方向の粘着剤層１９を有する。
図４に示す態様のクリップ付き筆記具吊下具は、台シートを有しないので、簡略かつ経済的に製造することができる。舌片フィルム１１を持ち上げて開口部１４を開き、クリップ付き筆記具を筆記具収納部１５に収納すると同時にクリップをクリップ挿通孔１６に挿通して、ヘッダーシート２の下部と前面フィルム１に固定する。次いで、離型フィルム１８を剥がして粘着剤層１９を露出させ、舌片フィルムを粘着剤層により背面フィルムに固着させる。この状態で吊下孔１７を利用して吊下具を吊下軸に吊り下げると、クリップは露出された状態で常に正面を向くので、消費者は店頭でクリップを直接目視し、クリップに直接触れることができる。筆記具は、クリップで袋状のクリップ付き筆記具吊下具に固定されているので、がたつくこともない。また、前面フィルムと背面フィルムに無色透明のフィルムを用いると、吊下展示された状態で筆記具の軸筒全体を目視することができるので、軸筒のデザイン、模様、文字などによっても消費者に訴求することができる。ヘッダーシートには、商品名、商品説明などを印刷することができる。本態様のクリップ付き筆記具吊下具は、筆記具収納部１５にクリップ付き筆記具を収納したのち、舌片フィルム１１により開口部１４を封鎖し、筆記具のクリップ以外の部分は収納部に収められるので、キャップ、軸筒などの筆記具の主要な部分が塵埃により汚染されるおそれがない。
本発明のクリップ付き筆記具吊下具の第三の態様は、ヘッダー部と台シート部が連続する１枚のシートからなり、ヘッダー部の上部に吊下孔が設けられ、吊下孔の下方にクリップ挿通孔が設けられてなるクリップ付き筆記具吊下具である。図５は、本発明のクリップ付き筆記具吊下具の他の態様の前面図及びＥ−Ｅ線断面図である。本態様のクリップ付き筆記具吊下具は、ヘッダー部２３と台シート部２４が連続する１枚のシートからなり、ヘッダー部の上部に吊下孔１７が設けられ、吊下孔の下にクリップ挿通孔１６が設けられている。
図５に示す態様のクリップ付き筆記具吊下具においては、クリップ付き筆記具のクリップをクリップ挿通孔１６に挿通してシートに固定する。この状態で吊下孔１７を利用して吊下具を吊下軸に吊り下げると、クリップは常に正面を向くので、消費者は店頭でクリップを直接目視し、クリップに直接触れることができる。筆記具は、クリップでシート状のクリップ付き筆記具吊下具に固定されているので、がたつくこともない。消費者は、本態様のクリップ付き筆記具吊下具を裏返すことにより、クリップ付き筆記具本体も、直接目視し、直接触れることができる。図５に示す態様のクリップ付き筆記具吊下具は、ヘッダー部と台シート部が連続して広い面積を有するので、商品名、商品の特徴、商品の使用方法などの多くの商品情報を印刷することができる。
【０００９】
図５に示す態様のクリップ付き筆記具吊下具は、さらにシートの両面をフィルムにより覆うことができる。図６は、本発明のクリップ付き筆記具吊下具の他の態様の前面図及びＦ−Ｆ線断面図である。本態様のクリップ付き筆記具吊下具は、ヘッダー部２３と台シート部２４が連続する１枚のシートからなり、該シートの両面が半折重合されたフィルム２５により覆われ、吊下孔１７とクリップ挿通孔１６がシートとフィルムを貫通して設けられ、両側縁２６、２７において溶断されている。図６に示す態様のクリップ付き筆記具吊下具は、図５に示す態様のクリップ付き筆記具吊下具とほぼ同じ機能と効果を有するが、シートに印刷する場合に比べてフィルムに印刷する方が容易かつ美麗である場合が多い。また、金属蒸着したシートと印刷したフィルムなどを重ねて用いることにより、デザインに多様性を与えることができる。
本発明のクリップ付き筆記具吊下具の第四の態様は、ヘッダー部からなり、ヘッダー部の上部に吊下孔が設けられ、吊下孔の下方にクリップ挿通孔が設けられてなるクリップ付き筆記具吊下具である。図７は、本発明のクリップ付き筆記具吊下具の他の態様の前面図及びＧ−Ｇ線断面図である。本態様のクリップ付き筆記具吊下具は、ヘッダー部２３のみからなり、ヘッダー部の上部に吊下孔１７が設けられ、吊下孔の下にクリップ挿通孔１６が設けられている。
図７に示す態様のクリップ付き筆記具吊下具においては、クリップ付き筆記具のクリップをクリップ挿通孔１６に挿通してヘッダー部に固定する。この状態で吊下孔１７を利用して吊下具を吊下軸に吊り下げると、クリップは常に正面を向き、筆記具の大部分も露出した状態におかれるので、消費者は店頭で筆記具を直接目視し、筆記具に直接触れることができる。本態様のクリップ付き筆記具吊下具は、構造が簡単であり、クリップ付き筆記具の取付作業にも手間がかからないので、経済的に製造し使用することができる。
図７に示す態様のクリップ付き筆記具吊下具は、さらにシートの両面をフィルムにより覆うことができる。図８は、本発明のクリップ付き筆記具吊下具の他の態様の前面図及びＨ−Ｈ線断面図である。本態様のクリップ付き筆記具吊下具は、ヘッダー部２３からなり、半折重合されたフィルム２５により覆われ、吊下孔１７とクリップ挿通孔１６がシートとフィルムを貫通して設けられ、両側縁２６、２７において溶断されている。図８に示す態様のクリップ付き筆記具吊下具は、図７に示す態様のクリップ付き筆記具吊下具とほぼ同じ機能と効果を有するが、デザインに多様性を与えることができる。
本発明のクリップ付き筆記具吊下具において、クリップ挿通孔の形状に特に制限はなく、吊り下げる筆記具のクリップの形状に応じて適宜選定することができる。多くの場合、上方の一辺が水平であり、該上方の一辺につながる二辺が垂直であり、残りの二辺が下方に斜めに延びる縦長の五角形のクリップ挿通孔を好適に用いることができる。五角形の各辺は厳密な直線である必要はなく、曲線とすることもできる。図９は、本発明のクリップ付き筆記具吊下具に設けるクリップ挿通孔の形状の三態様の説明図である。これらの形状は、すべて縦長の五角形である。図のような縦長の五角形の最下方の頂点の先には、スリット２８を設けることができる。縦長の五角形の最下方の頂点の先にスリットを設けることにより、吊下具へのクリップ付き筆記具の着脱を容易にすることができる。スリットの先端には、溶断により微小な円形２９を形成することが好ましい。微少な円形を形成することにより、スリット先端を超える裂け目の発生を防止することができる。
本発明に用いるフィルム及びシートの材質に特に制限はなく、例えば、ポリエチレン、ポリプロピレン、ポリアミド、ポリエステルなどを挙げることができる。本発明においては、フィルムとシートが同種の材質であることが好ましい。同種の材質のフィルムとシートを用いることにより、フィルムとシートを強固に融着し、また、フィルムとシートの溶断に際して両者を強固に溶着することができる。本発明に用いるフィルムの厚さに特に制限はないが、１０〜８０μｍであることが好ましく、２０〜６０μｍであることがより好ましい。本発明に用いるシートの厚さに特に制限はないが、４０〜１５０μｍであることが好ましく、５０〜１００μｍであることがより好ましい。
【産業上の利用可能性】
【００１０】
本発明のクリップ付き筆記具吊下具を用いると、筆記具のクリップは露出した状態で常に正面を向くので、消費者に強く訴求し、消費者はクリップを直接目視し、クリップに直接触れることができる。本発明のクリップ付き筆記具吊下具は、プラスチックフィルムとプラスチックシートのみから形成されるので、経済的に製造することができ、店頭において大きいスペースを占めることなく展示することができる。さらに、本発明のクリップ付き筆記具吊下具は、形状の異なる多種類のクリップ付き筆記具に対して、共通に使用することができる。
【図面の簡単な説明】
【００１１】
【図１】本発明のクリップ付き筆記具吊下具の一態様の前面図、背面図及び切断部端面図である。
【図２】クリップ付き筆記具吊下具に筆記具を収納した状態を示す前面図及び切断部端面図である。
【図３】本発明のクリップ付き筆記具吊下具の他の態様の前面図、背面図及び切断部端面図である。
【図４】本発明のクリップ付き筆記具吊下具の他の態様の前面図、背面図及び切断部端面図である。
【図５】本発明のクリップ付き筆記具吊下具の他の態様の前面図及び断面図である。
【図６】本発明のクリップ付き筆記具吊下具の他の態様の前面図及び断面図である。
【図７】本発明のクリップ付き筆記具吊下具の他の態様の前面図及び断面図である。
【図８】本発明のクリップ付き筆記具吊下具の他の態様の前面図及び断面図である。
【図９】クリップ挿通孔の形状の三態様の説明図である。
【符号の説明】
【００１２】
１  前面フィルム
２  ヘッダーシート
３  台シート
４  背面フィルム
５  背面フィルム
６  側縁
７  側縁
８  台シートの上縁
９  袋体の下縁
１０  ヘッダーシートの上縁
１１  舌片フィルム
１２  融着線
１３  融着線
１４  開口部
１５  筆記具収納部
１６  クリップ挿通孔
１７  吊下孔
１８  離型フィルム
１９  粘着剤層
２０  クリップ付き筆記具
２１  クリップ
２２  離型フィルム
２３  ヘッダー部
２４  台シート部
２５  フィルム
２６  側縁
２７  側縁
２８  スリット
２９  微小な円形
【図１】
2006027615.tif 000003
【図２】
2006027615.tif 000004
【図３】
2006027615.tif 000005
【図４】
2006027615.tif 000006
【図５】
2006027615.tif 000007
【図６】
2006027615.tif 000008
【図７】
2006027615.tif 000009
【図８】
2006027615.tif 000010
【図９】
2006027615.tif 000011